(57)【要約】【解決手段】母指球領域と、かかと領域と、前記母指球領域および前記かかと領域を形成する材料より薄く、伸縮可能な材料で前記母指球領域および前記かかと領域の間に形成された足中央領域と、を有するソール部と、前記ソールの前記母指球領域および／または前記かかと領域の内部に配置された内部支持部材と、前記ソール部から上方へ延在してつま先カップおよびかかとカップを画定し、少なくとも足中央領域において伸縮可能な材料で形成され、靴および／または足が靴カバーに接することができるよう内部に形成された開口部を有する上方部と、を備えることを特徴とする靴カバー。【選択図】図３
2011520568.tif 000002
【特許請求の範囲】
【請求項１】
母指球領域と、かかと領域と、前記母指球領域および前記かかと領域を形成する材料より薄く、伸縮可能な材料で前記母指球領域および前記かかと領域の間に形成された足中央領域と、を有するソール部と、
前記ソール部の前記母指球領域および／または前記かかと領域の内部に配置された内部支持部材と、
前記ソール部から上方へ延在してつま先カップおよびかかとカップを画定し、少なくとも前記足中央領域において伸縮可能な材料で形成され、靴および／または足が靴カバーに接することができるよう形成された開口部を有する上方部と、
を備えることを特徴とする靴カバー。
【請求項２】
前記内部支持部材は、前記ソール部と共に成形され、硬質成形プレート、半硬質成形プレート、モノフィラメント・メッシュ片、前記ソール部に埋め込まれた布地片、および／または前記ソール部の形成に使用された材料よりも硬質の材料により形成されたことを特徴とする請求項１に記載の靴カバー。
【請求項３】
前記上方部は、その上端縁が前記上方部の他の部分より厚いことを特徴とする請求項１に記載の靴カバー。
【請求項４】
前記ソール部および前記上方部は、一体成形体として共に形成されることを特徴とする請求項１に記載の靴カバー。
【請求項５】
前記母指球領域および前記かかと領域の上方において、前記靴カバーの内面上に滑り止め強化表面が形成され、
前記靴カバーのかかとカップの後方に滑り止め強化領域が形成されることを特徴とする請求項１に記載の靴カバー。
【請求項６】
前記かかとカップの最後部は、前記上端縁の上方に延在し、その内面に配置された摩擦強化表面を有することを特徴とする請求項３に記載の靴カバー。
【請求項７】
前記上方部は、前記足中央領域において前記母指球領域および前記かかと領域に延在する動的伸縮部材が形成されていることを特徴とする請求項１に記載の靴カバー。
【請求項８】
前記上方部は、前記足中央領域において前記母指球領域およびつま先カップに延在し、前記かかと領域に延在する動的伸縮部材が形成されていることを特徴とする請求項１に記載の靴カバー。
【請求項９】
動的伸縮バンドが、縦方向に延在する細長部の形で前記ソール部の底面上に配置され、前記ソール部の前記足中央領域から前方および後方に延在することを特徴とする請求項１に記載の靴カバー。
【請求項１０】
動的伸縮バンドが、前記ソール部の前記足中央領域に配置され、前記靴の上方周辺に延在することを特徴とする請求項１に記載の靴カバー。
【請求項１１】
前記かかとカップは、最上部且つ最後部の領域に、薄い動的伸縮部材の領域を有することを特徴とする請求項１に記載の靴カバー。
【請求項１２】
前記かかとカップの外面に形成された摩擦強化パターンをさらに備えることを特徴とする請求項１に記載の靴カバー。
【請求項１３】
前記ソール部は、共に成形される内部支持部材を有し、
前記内部支持部材は、前記ソール部の材料より柔らかい材料で形成されていることを特徴とする請求項１に記載の靴カバー。
【請求項１４】
内部に成形された硬質または半硬質のプレートを有するソール部と、前記ソール部の周囲で上方に延在する上方部と、を有するソールフレーム部と、
前記上方部から伸び、互いに選択的に取り付けおよび取り外しするための着脱手段が表面に設けられた複数のストラップと、
エラストマー材で形成され、前記ソールフレーム部の前記ソール部の上方に配置された滑り止め台と、
を備えることを特徴とする靴カバー。
【請求項１５】
前記着脱手段は、フック部材およびループ部材を有することを特徴とする請求項１４に記載の靴カバー。
【請求項１６】
前記複数のストラップは、伸縮可能な材料によって形成されることを特徴とする請求項１４に記載の靴カバー。
【発明の詳細な説明】
【技術分野】
【０００１】
本発明は、履き物の分野に関する。特に本発明は、草が多いまたは柔らかい地面に使用されていないときに、滑り止め具、鋲、および／またはスパイクによる損傷から床面を保護し、同様に、履き物の滑り止め、鋲、および／またはスパイクを保護する靴カバーに関する。以下、滑り止め具という語を用いるが、これに限定することを意図するものではない。
【背景技術】
【０００２】
例をいくつか挙げると、例えば野球、フットボール、サッカー、ラグビー、ラクロスおよびゴルフなど、トラックおよびフィールドにおける様々なスポーツにおいて、シューズはソールの底部から下方へ伸びる滑り止めまたはスパイクを備えている。滑り止め具またはスパイクは、従来は金属でできていたが、現在は硬化プラスチックで通常できている。これらの滑り止め具またはスパイクは、運動場およびトラックにおいて、より強い滑り止めをユーザに与える。しかしながら、滑り止め具は、例えば歩道および道路など、固く摩耗させやすい地表上を歩くことで損傷を受け得る。さらに、滑り止め具は、例えば木の床および内部のカーペットなど、滑り止め具よりも柔らかい床面に損傷を与え得る。
【発明の概要】
【発明が解決しようとする課題】
【０００３】
このため、選手は一般的に、滑り止めのないウォーキングシューズとともに、滑り止め具を有するスポーツシューズを持参する。これにより選手は、滑り止め具を有するシューズを使用しないときに、ウォーキングシューズを履くことができる。しかしながら、選手は滑り止め具がないシューズまたはスパイクがないシューズを持って来るのを忘れたり、自分が履いている滑り止め具を有するシューズをフィールド上で使用した後脱ぎ忘れることがある。これにより、滑り止め具または車両のカーペットや建物の床などの地表を急速に摩耗させ、汚れや擦り傷を生じさせる。
【課題を解決するための手段】
【０００４】
したがって、滑り止め具保護用の靴カバーを持っていると便利である。この靴カバーは、滑り止め具やスパイクが設けられたシューズの滑り止め具やスパイク、木製の床やカーペットなどを保護する。そしてこれは、経済的で快適且つ機能的な方法である。
【図面の簡単な説明】
【０００５】
【図１】図１は、第１の実施例に係る靴カバーの内部を示す上方等角図である。
【図２】図２は、図１の実施例に係る靴カバーの側面図である。
【図３】図３は、図１の実施例に係る靴カバーの内部構造を示す部分的に露出した上方等角図である。
【図４】図４は、前記実施例に係る靴カバーの、図３のビューライン４−４による断面図である。
【図５】図５は、図１の実施例に係る靴カバーのソールの底面図である。
【図６】図６は、本発明の他の実施例に係る靴カバーの内部を示す上方等角図である。
【図７】図７は、図６の実施例に係る靴カバーの側面図である。
【図８】図８は、図６の実施例に係る靴カバーのソールの底面図である。
【図９】図９は、本発明のさらに別の実施例に係る靴カバーの前方頂部等角図である。
【図１０】図１０は、図９の実施例に係る靴カバーの一番上の後部等角図である。
【図１１】図１１は、図９の実施例に係る靴カバーの側面図である。
【図１２】図１２は、前記実施例に係る靴カバーの、図９のビューライン１２−１２による断面図である。
【発明を実施するための形態】
【０００６】
図１は、第１の実施例に係る靴カバー１０の内部を示す上方等角図であり、図２は、その側面図である。第１の実施例に係る靴カバー１０は、好ましくは一体的デザインで、柔軟性と耐久性を双方が有する強化プラスチックまたはゴム材料によって形成されてもよい。例えば、以下のタイプの材料、石油を基礎としたゴム、天然ゴム、シリコン・ゴム、および弾性コーティング付きまたは無しの伸縮性ファブリックは、靴カバーを形成するために用いることができる。靴カバーの前方のつま先部１２において、つま先カップ１４は、ユーザのシューズのつま先領域をカップ型にするよう形成される。ヒール部１６において、かかと高起こし部１８は、滑り止め具が設けられた靴のかかとにおける最上の円弧部に接続するよう随意に設けられる。かかと高起こし部１８は、靴カバーの取り外し（脱ぐ）を補助する把持部としても役立つ。靴カバー開口部２２の上端部２０の縁部は、トップライン２４となる。トップライン２４は、側方部２６および底中央部２８より厚く形成される。他の部分より多くの材料がこの厚いトップライン２４に用いられている。これにより、トップライン２４はより硬質となっており、また、靴カバー開口部２２を通じて靴カバー１０へ挿入されたときに靴カバー１０とユーザの足および靴との結合を保つためのグリップ圧力を創り出すための更なる張力を発揮する。側方部２６および円弧状部の底中央部２８は、薄いゴムまたはプラスチック材料で形成されることで他の部より薄くなっており、より伸縮しやすくなっている。これにより靴カバー１０は、異なる靴サイズ、長さ、幅、および形状に対応することができる。靴カバー１０は、ソール領域３０を有する。ソール領域３０の母指球領域３２およびかかと領域３４では、ソールの左右方向への動きの制御を補助するため、ソールの材料はより厚いことが好ましい。例えば、母指球領域３２およびかかと領域３４におけるソール厚さは、所望の厚さを採用することができる。例えば約５〜１０ｍｍ、より好ましくは、約６．５〜７ｍｍであってもよい。ただし、他の厚さが用いられてもよい。靴カバーの異なる領域のそれぞれの厚さは、靴カバーの製造に用いられる材料の性質やシュー・サイズに依存する。例えば、非常に小さな子供向けの小さいサイズの靴カバーは、大人向けの大きなシューズほど厚い必要はない。より厚い部材３６のバンドがさらにヒール部１６のまわりを随意に包む。これにより、かかとを安定させることができる。材料および重量を抑制するために、より薄い領域３８がかかと領域側に随意に設けられる。靴カバー１０の内部に示すように、滑り止め領域５０は、足前部の領域において随意に形成されてもよく、滑り止め領域５２は、かかと領域５４において形成されてもよい。これは、滑り止め具の摺動抑制に役立ち得る。また、かかとが高くされた後部１８の内面は、その中心に滑り止め領域があることが好ましい。この滑り止め領域は、滑り止め具のかかとの後部をグリップするのに役立つ。この滑り止めは、靴のこれらの領域の靴カバーの内面上の突出したパターン、および／またはくぼんだパターンを設けることによって強化されてもよい。
【０００７】
図３は、図１の実施例に係る靴カバー１０の内部構造を示すよう部分的に露出した上方等角図である。内部支持部材６０および６２は、ソールの母指球領域３２およびかかと領域３４に随意に配置され、靴カバーの形成時にソールに成形される。内部支持部材６０および６２は、硬質または半硬質に成形されたプレートとして、モノフィラメント・メッシュ片または布地片により形成されてもよい。内部支持部材６０および６２の機能は、滑り止め具が付けられた着用者のシューズのうち、滑り止めがぶつかるソールの内部の領域においてソールを強化し、滑り止め具の先端による点負荷圧力の負荷を拡散させることにある。これにより、集中する領域において摩耗や負荷が集中する領域においてそれらを抑制するという好適な効果が創出される。より硬質の靴滑り止め具のソールカバーが要求される場合、内部支持部材６０および６２は、例えばプラスチックや硬質ゴムなど、より厚く、および／またはより硬質の物質で形成されてもよい。内部支持部材６０および６２が成形される場合、その内部で一連の開口部６４および６６がそれぞれ随意に形成されてもよい。これらの開口部６４、６６によって、ゴムを内部支持部材に連続させることができ、成形された内部支持部材６０および６２のソールへの固定を改善することができる。モノフィラメント・メッシュ片または布地片によって形成されている内部支持部材６０および６２の場合、布地の所望の織り方を選択することで、繊維を通じた部材の自然な開口が設けられてもよい。これらがない場合においても、開口部がその中に形成されてもよい。
【０００８】
図４は、実施例に係る靴カバー１０の母指球領域３２における、図３のビューライン４−４による横断面図である。図から分かるように、内部支持部材６０の下方のゴム材７０および内部支持部材６０の上方のゴム材７２で、内部支持部材６０が母指球領域３２の材料に埋め込まれている。さらなる安定性を得るために、ソールの両側７４における部材は、より厚い物質で作られていてもよい。靴カバーの特性を制御すべく、例えば異なる特性を有する様々な材料を使用することも可能である。さらに耐久性を得るのために、例えば、母指球部およびヒール部においてソールの底部は高いショア硬度を有していてもよい。他の領域では、より柔らかく、より柔軟な材料で部材が形成されてもよい。
【０００９】
図５は、図１の実施例に係る靴カバー１０のソールの底面図である。滑り止め強化パターン８０は、母指球領域３２およびかかと領域３４において好適に形成されてもよい。（アーチ領域での）底中央部２８では、部材は母指球領域３２およびかかと領域３４よりも薄い。この部材は地表と通常接しないため、表面に摩擦強化パターンを設ける必要はない。上述のように、母指球領域３２およびかかと領域３４の間は薄い部材で形成されることから、横方向への伸縮が与えられる。
【００１０】
図６は、別の実施例に係る他の靴カバー１００の内部を示す上方等角図であり、図７は、その側面図である。実施例に係る靴カバー１００は、強化プラスチックまたは柔軟で耐久性を有するゴム材料によって一体成形により好適に形成され得る。例えば、靴カバーを形成するために以下のタイプの材料、石油を基礎としたゴム、天然ゴム、シリコン・ゴム、および弾性コーティング付きまたは無しの伸縮性ファブリックが用いられてもよい。第１の実施例に係る靴カバー１０のように、靴カバー１００は、つま先カップ１０２およびかかとカップ１０４を有する。靴カバー開口部１０８を通じて靴カバー１００に挿入されるときに、靴カバー１００とユーザの靴との接触を保つためのグリップ圧を創り出すために、要望があれば上部エッジ１０６が厚い部材で形成されてもよい。靴カバー１００は、ソール１１１を有する。ソール１１１は、母指球ソール領域１１０、かかとソール領域１１２、および足中央（アーチ）領域１１４を有する。滑り止め強化パターン１１６は、母指球ソール領域１１０上およびかかとソール領域１１２上において好ましくは形成される。また、パターン１１８は、かかとカップ１０４の外面に形成されてもよい。図６に最適に示すように、パターン１１８の中断領域１２０は、かかとカップ１０４の後部に設けられてもよい。この中断領域１２０は、ロゴなどを受け入れることができる領域として設けられる。一般的に、靴カバーにおけるソールの滑り止めおよび荷重支持領域とされないすべての厚い領域は、カップ構造を設け、および／またはそれらの進行方向に沿った張力を増加させるために設けられる。また、すべての薄いエリアは、張力の抑制と、動きに適合した伸縮を与えるため設けられる。図１で図示した実施例と同様に、この実施例は、かかと部の外面に薄い領域を有する。この薄い領域は、滑り止め具が設けられた上部のかかと部を覆う、より伸縮性、従順性を有する領域を設けるために設けられる。母指球ソール領域１１０の上方であって、パターンが形成されたかかとカップ１０４の上部のかかと領域１１２に後方に向かって伸びている足中央領域１１４では、靴カバーを形成する部材は、より薄く、いわゆる「動的伸縮領域」１２６を画定する。動的伸縮領域では、部材は横方向、長手方向および、斜めに伸縮する。これにより、靴カバー１００は、様々なサイズおよび形状の靴に適合するよう伸縮することができる。母指球ソール部１１０およびかかとソール部１１２では、横方向へのソールの動きの制御を補助すべく、好適には部材はより厚くてもよい。例えば、母指球ソール領域１１２およびかかとソール領域１１４におけるソールの厚さは、所望の厚さであってもよい。例えば厚さは、約５〜１０ｍｍ、より好ましくは約６．５〜７ｍｍであってもよい。ただし、他の厚さが使われてもよい。また、ソールを形成するために用いる材料は、必要に応じて、より硬質で、より耐久性のある材料で作られていてもよい。ソールの材料は、耐久性および滑り止めの間で要求されるバランスに応じて、様々な材料によって形成されてもよい。より耐久性を有する材料は、より硬質で、より低い滑り止め性を一般的に与える。より高い滑り止め性をもたらす材料は、硬くなく、摩耗による影響を一般的に受けやすい。
【００１１】
図８は、図６の実施例に係る靴カバー１００のソールの底面図である。また、摩擦強化パターン１１６は、ソール１１１の下側１１６に形成される。更なる柔軟性を得るため、足中央領域１１４から母指球ソール部１１０およびかかとソール部１１２に縦方向に動的伸縮細長部１３０が延在している。これは、伸縮細長部１３０の長手方向に沿った縦方向の伸縮を与えることに役立つ。足中央領域１１４では、部材はより薄く、より伸縮しやすい。この部材は、靴の側部から内側に延在し、動的伸縮領域１２６へと続く。そしてこのように、縦方向および横方向への高い伸縮性を与える。
【００１２】
図９は、本発明のさらに別の例示的な実施例の靴カバー２００の前方頂部の等角図である。図１０は、本発明のさらに別の例示的な実施例の靴カバー２００の後方頂部の等角図である。この靴カバー２００は、靴保持ループ２０２を通じて、靴（または靴を履いていないない足）が挿入できるよう設けられている。靴保持ループ２０２は、調整機能のためのペアのストラップ２０４および２０６により構成されている。ストラップ２０４および２０６は、使用時に、ストラップ２０４および２０６を持ってきてユーザの滑り止め具付きの靴（図示せず）の周りに固定されるよう、それぞれのストラップ上に設けられたフックおよびループタイプの部材、スナップ（図示せず）、調整バックル（図示せず）、および他の公知の構造により着脱可能に共に取り付けられている。即座に靴カバー２００を取り付け、取り外す性能が求められるため、着脱可能なストラップ２０４および２０６は有用である。しかしながら、相対する一対のストラップを設ける代わりに、靴カバーの母指球部全域に延在する単一の弾性保持ストラップが設けられてもよい。ユーザはこれ（図示せず）に挿入することができる。この調整機能により、広範囲に調整することが可能となり、滑り止め具を有する靴を容易に取り付けおよび取り外すことができる。例えば、ストラップ２０４および２０６は、滑り止め具を有する靴を滑り止め台に配置でき、およびユーザが滑り止め台に押し入れるために足を踏み入れることができるよう、緩めることができる。その後、ストラップ２０４および２０６は互いに係合し、これにより靴を適切な個所に係止する。靴カバー２００は、靴保持ループ２０２の一部を設けるためにソール部２１２から上方に伸びるソールフレーム２１０を有する。ソールフレーム２１０は、受け台に載せられ保持されるべき靴の支持を補助する。ソールフレーム２１０は、例えば吹き付けゴム、ポリウレタンフォーム、エチル酢酸ビニルフォーム、および固定ゴムなど、様々な材料によって好適に形成され得る。ソールフレーム２１０のソール部２１２の上に、滑り止め台２１４が設けられる。この滑り止め台２１４は、例えば、吹き付けゴム、発砲ゴム、ポリエチレンフォーム、およびエチル酢酸ビニルフォームなどの弾力性を有する可撓性の材料に適合する、エラストマーの滑り止めによって形成される。これにより、滑り止め具またはユーザの靴のトレッドパターンを、例えば滑り止め具との接触点など、滑り止め台２１４と選択的に接触する部分に押し付けることができる。これは、滑り止め具が設けられた靴が適切な位置に堅固に保持されることを補助する。滑り止め具が設けられていない靴に用いられる場合においても、靴カバー２００は、靴（図示せず）のソールの底を覆うことによって、靴のソールが床面や地面と接触することを回避させる。最後に、サンダルがすり切れたとしても、靴カバー２００は随意に靴なしで着用され得る。
【００１３】
図１１は、図９の実施例に係る靴カバー２００の側面図であり、内部支持部材２２０の位置を示す。内部支持部材２２０は、ソール内部、またはソールと滑り止め台２１４との間におけるソールの上部のいずれかに配置される。靴カバー２００の前方部２２２からその後部周辺部２２４へ延在する間に、内部支持部材２２０が途切れる可能性がある。内部支持部材２２０は、硬質または半硬質に成形されたプレートとして、モノフィラメント・メッシュ片または布地片などとして形成され得る。内部支持部材２２０の機能は、滑り止め具が付けられた着用者のシューズのうち、特に滑り止めがぶつかるソールの内部の領域においてソールを強化することにある。より硬質の靴カバーが求められる場合、内部支持部材２２０は、例えば、より硬質のデュロメータ樹脂またはゴムなど、より厚いおよび／またはより硬質の材料により形成されてもよい。成形された内部支持部材２２２では、一連の開口部（図示せず）が、その中に随意に形成されてもよい。このような開口部によって、内部支持部材を通ってゴムが延在することができ、これにより、ソールにおいて成形された内部支持部材の固定を改善することができる。モノフィラメント・メッシュ片または布地片によって形成されている内部支持部材２２０の場合、布地の所望の織り方を選択することで、繊維を通じた部材の自然な開口が設けられてもよい。これがない場合においても、開口部がその中に形成されてもよい。
【００１４】
図１２は、実施例に係る靴カバー２００の、図９のビューライン１２−１２による横断面図である。図から分かるように、内部支持部材２２２は、ソールフレーム２１０のソール部２１２に配置され、好ましくはその内部に成形される。
【００１５】
このように、本発明に係る靴カバー１０、１００、および２００は、履くことおよび脱ぐことが容易な靴カバーを使用するための、効果的かつ簡易な方法を提供する。靴カバー１０、１００、および２００は、それらが使用され覆われる靴に適合させるために、広範な種類のサイズがあることが望ましい一方、必ずしも必要なことではない。また、これらは、所定のスタイルやサイズの靴に密接に適合するさらに広範なサイズや形状で製造され得る。また、靴カバー１０、１００、および２００は、滑り止め具が設けられたシューズに特によく適合する。一方、滑り止め具が設けられていないシューズにもそれらが使用されてもよい。例えばある人が、滑り止め具が設けられていないその人のシューズをインドアで履くことを希望するが、トラックの泥から床を保護したいなどの場合などである。または、サンダルがすり切れた場合などに、靴なしで使用されてもよい。
【００１６】
このように本発明の実施例を記載したが、上記の開示が実施例に係るだけであり、そして、様々な他の変形、改良、および改変が本発明の範囲内にされ得ることは、当業者によって理解されるところである。現在開示された実施例は、例示的なものであり限定的なものでないことは、あらゆる点で考慮される。
【図１】
2011520568.tif 000003
【図２】
2011520568.tif 000004
【図３】
2011520568.tif 000005
【図４】
2011520568.tif 000006
【図５】
2011520568.tif 000007
【図６】
2011520568.tif 000008
【図７】
2011520568.tif 000009
【図８】
2011520568.tif 000010
【図９】
2011520568.tif 000011
【図１０】
2011520568.tif 000012
【図１１】
2011520568.tif 000013
【図１２】
2011520568.tif 000014
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
母指球領域と、かかと領域と、前記母指球領域および前記かかと領域を形成する材料より薄く、伸縮可能な材料で前記母指球領域および前記かかと領域の間に形成された足中央領域と、を有するソール部と、
前記ソール部の前記母指球領域および／または前記かかと領域の内部に配置された内部支持部材と、
前記ソール部から上方へ延在してつま先カップおよびかかとカップを画定し、少なくとも前記足中央領域において伸縮可能な材料で形成され、靴および／または足が靴カバーに接することができるよう形成された開口部を有する上方部と、
を備えることを特徴とする靴カバー。
【請求項２】
前記内部支持部材は、前記ソール部と共に成形され、硬質成形プレート、半硬質成形プレート、モノフィラメント・メッシュ片、前記ソール部に埋め込まれた布地片、および／または前記ソール部の形成に使用された材料よりも硬質の材料により形成されたことを特徴とする請求項１に記載の靴カバー。
【請求項３】
前記上方部は、その上端縁が前記上方部の他の部分より厚いことを特徴とする請求項１に記載の靴カバー。
【請求項４】
前記ソール部および前記上方部は、一体成形体として共に形成されることを特徴とする請求項１に記載の靴カバー。
【請求項５】
前記母指球領域および前記かかと領域の上方において、前記靴カバーの内面上に滑り止め強化表面が形成され、
前記靴カバーのかかとカップの後方に滑り止め強化領域が形成されることを特徴とする請求項１に記載の靴カバー。
【請求項６】
前記かかとカップの最後部は、前記上端縁の上方に延在し、その内面に配置された摩擦強化表面を有することを特徴とする請求項３に記載の靴カバー。
【請求項７】
前記上方部は、前記足中央領域において前記母指球領域および前記かかと領域に延在する動的伸縮部材が形成されていることを特徴とする請求項１に記載の靴カバー。
【請求項８】
前記上方部は、前記足中央領域において前記母指球領域およびつま先カップに延在し、前記かかと領域に延在する動的伸縮部材が形成されていることを特徴とする請求項１に記載の靴カバー。
【請求項９】
動的伸縮バンドが、縦方向に延在する細長部の形で前記ソール部の底面上に配置され、前記ソール部の前記足中央領域から前方および後方に延在することを特徴とする請求項１に記載の靴カバー。
【請求項１０】
動的伸縮バンドが、前記ソール部の前記足中央領域に配置され、前記靴の上方周辺に延在することを特徴とする請求項１に記載の靴カバー。
【請求項１１】
前記かかとカップは、最上部且つ最後部の領域に、薄い動的伸縮部材の領域を有することを特徴とする請求項１に記載の靴カバー。
【請求項１２】
前記かかとカップの外面に形成された摩擦強化パターンをさらに備えることを特徴とする請求項１に記載の靴カバー。
【請求項１３】
前記ソール部は、共に成形される内部支持部材を有し、
前記内部支持部材は、前記ソール部の材料より柔らかい材料で形成されていることを特徴とする請求項１に記載の靴カバー。
【請求項１４】
内部に成形された硬質または半硬質のプレートを有するソール部と、前記ソール部の上方に延在する上方部と、を有するソールフレーム部と、
前記上方部から伸び、互いに選択的に取り付けおよび取り外しするための着脱手段が表面に設けられた複数のストラップと、
エラストマー材で形成され、前記ソールフレーム部の前記ソール部の上方に配置された滑り止め台と、
を備えることを特徴とする靴カバー。
【請求項１５】
前記着脱手段は、フック部材およびループ部材を有することを特徴とする請求項１４に記載の靴カバー。
【請求項１６】
前記複数のストラップは、伸縮可能な材料によって形成されることを特徴とする請求項１４に記載の靴カバー。
【国際調査報告】
2011520568.tif 000015
2011520568.tif 000016